(57)【特許請求の範囲】
【請求項１】
複数の微小開口部を互いに独立あるいは一連に設けた開口部保持部材と、
前記開口部保持部材と一体又は別体に設け、粒子担持体に担持させた微小な画像形成粒子の前記粒子担持体からの飛翔を制御させる複数の飛翔制御電極と、
前記開口部保持部材と一体又は別体に設け、画像形成粒子の飛翔経路の偏向を制御させる複数の偏向制御電極と
を前記粒子担持体に対向させた対向電極と前記粒子担持体との間に配設し、
画像情報に基づいて、
任意の飛翔制御電極に飛翔電圧を印加して前記粒子担持体から画像形成粒子を選択的に飛翔させ、又は、任意の飛翔制御電極に飛翔電圧を、前記偏向制御電極に偏向電圧をそれぞれ印加して前記粒子担持体から画像形成粒子を選択的且つ偏向的に飛翔させ、飛翔させた画像形成粒子を任意の微小開口部を通して前記対向電極側に移行させることで、前記対向電極上又は前記対向電極上の記録部材上に、移行させた画像形成粒子を付着させて画像を形成する画像形成方法であって、
前記飛翔電圧の印加タイミング、前記偏向電圧の印加タイミング、又は、前記偏向電圧の値、のうち少なくとも１つを各飛翔制御電極又は各偏向制御電極に対して個々に調整することにより、
前記対向電極上又は前記記録部材上における画像形成粒子の付着位置を、前記記録部材の表面の移動方向、及び、前記移動方向に直交し且つ前記表面に平行な方向、に個々に調整して前記表面の画像部と非画像部との境界を平滑化し、且つ、その平滑化の際に、原型画像の画像部と非画像部とのエッジに相当する位置よりも画像部側に生じてしまう欠損部の面積が所定値以上になる場合には、前記原型画像の非画像部に対応する粒子担持体領域から画像形成粒子を飛翔させ、その画像形成粒子の前記付着位置を、１画素を超える移動距離で調整して、前記画像形成粒子を前記欠損部に付着させることを特徴とする画像形成方法。
【請求項２】
請求項１の画像形成方法であって、
上記偏向制御電極として、上記記録部材の表面の移動方向に直交し且つ前記表面に平行な方向への上記偏向を制御させる偏向制御電極を用い、
上記偏向電圧の値を各偏向制御電極に対して個々に調整することにより、前記移動方向に直交し且つ前記表面に平行な方向における上記付着位置を調整し、
上記飛翔電圧、又は、前記飛翔電圧及び前記偏向電圧、の印加タイミングを、各飛翔制御電極、又は、各飛翔制御電極及び各偏向制御電極、に対して個々に調整することにより前記移動方向における上記付着位置を調整することを特徴とする画像形成方法。
【請求項３】
請求項１又は２の画像形成方法であって、
上記偏向制御電極として、
上記記録部材の表面の移動方向に直交し且つ前記表面に平行な方向への上記偏向を制御させる第１偏向制御電極と、
前記移動方向への上記飛翔経路の偏向を制御させる第２偏向制御電極と
を用い、
各第１偏向制御電極及び各第２偏向制御電極に印加する上記偏向電圧の値を個々に調整することにより前記移動方向に直交し且つ前記表面に平行な方向及び前記移動方向おける上記付着位置を個々に調整することを特徴とする画像形成方法。
【請求項４】
請求項１、２又は３の画像形成方法であって、
各飛翔制御電極への上記飛翔電圧の印加時間長さを個々に調整することを特徴とする画像形成方法。
【請求項５】
互いに独立あるいは一連に形成された複数の微小開口部を有する開口部保持部材と、
前記開口部保持部材と一体又は別体に形成され、粒子担持体に担持される微小な画像形成粒子の前記粒子担持体からの飛翔を制御する複数の飛翔制御電極と、
前記開口部保持部材と一体又は別体に形成され、画像形成粒子の飛翔経路の偏向を制御する複数の偏向制御電極と、
を前記粒子担持体に対向する対向電極と前記粒子担持体との間に備え、
画像情報に基づいて、
任意の飛翔制御電極に飛翔電圧を印加して前記粒子担持体から画像形成粒子を選択的に飛翔させ、又は、任意の飛翔制御電極に飛翔電圧を、前記偏向制御電極に偏向電圧をそれぞれ印加して前記粒子担持体から画像形成粒子を選択的且つ偏向的に飛翔させ、飛翔させた画像形成粒子を任意の微小開口部を通して前記対向電極側に移行させることで、前記対向電極上又は前記対向電極上の記録部材上に、移行させた画像形成粒子を付着させて画像を形成する画像形成装置であって、
前記飛翔電圧の印加タイミング、前記偏向電圧の印加タイミング、又は、前記偏向電圧の値、のうち少なくとも１つを各飛翔制御電極又は各偏向制御電極に対して個々に調整することにより、
前記対向電極上又は前記記録部材上における画像形成粒子の付着位置を、前記対向電極又は前記記録部材の表面の移動方向、及び、前記移動方向に直交し且つ前記表面に平行な方向、に個々に調整して前記表面の画像部と非画像部との境界を平滑化し、且つ、その平滑化の際に、原型画像の画像部と非画像部とのエッジに相当する位置よりも画像部側に生じてしまう欠損部の面積が所定値以上になる場合には、前記原型画像の非画像部に対応する粒子担持体領域から画像形成粒子を飛翔させ、その画像形成粒子の前記付着位置を、１画素を超える移動距離で調整して、前記画像形成粒子を前記欠損部に付着させることを特徴とする画像形成装置。
【発明の詳細な説明】
【０００１】
【発明の属する技術分野】
本発明は、複写機、ファクシミリ、プリンター等の画像形成装置、及びこの装置に用いられる画像形成方法に係り、詳しくは、形成画像の非画像部との境界（以下、エッジと称する）を平滑化するスムージング処理の改良に関するものである。
【０００２】
【従来の技術】
従来、画像形成方法としてダイレクトトーニングまたはトナープロジェクションと称される画像形成方法が知られている。この画像形成方法（以下、直接記録方法という）は、次のようなプロセスで画像を形成するものである。即ち、孔やスリットの周りに設けた飛翔制御電極に電圧を印加して、帯電させた画像形成粒子、例えばトナーの層やトナークラウドに電界を加え、該孔や該スリットに対応する特定の位置のトナー等の集合体を選択的に飛翔させる。そして、この集合体を上記孔や上記スリットを通して移動させて紙等の記録部材に付着させることで、該集合体による単位画像を該記録部材の表面に直接形成する。なお、「単位画像」とは、例えばドット等のことを示し、画像形成粒子の集合体により形成される最小単位の画像を示す概念である。
【０００３】
図１は、直接記録方法によるトナーの飛翔状態を示した模式図である。図中、１は粒子担持体、２は開口部保持部材としてのフレキシブルプリント基板（以下、ＦＰＣと称する）、３は記録部材としての紙、４は対向電極、５はトナーをそれぞれ示す。また、ＦＰＣ２は、微小開口部としての孔と、該孔の周囲に配置されたリング状の飛翔制御電極２ａとからなる単位画像形成部としてのドット形成部を複数有している。なお、図１は１つのドット形成部を拡大して示している。
【０００４】
直接記録方法では、例えば、マイナスに帯電するトナーを用い、粒子担持体１を接地し、対向電極４に＋９００［Ｖ］の直流高電圧を印加し、飛翔制御電極２ａに＋３２５［Ｖ］の飛翔電圧（Ｖｂｌａｃｋ）を２００［μｓｅｃ］印加する。この印加により、粒子担持体１上のトナー５に対して６×１０6［Ｖ／ｍ］の電界が作用する。そして、この作用の結果、トナー５に加わるクーロン力が、トナー５と粒子担持体１との間に作用している付着力や鏡像力の和を上回って、トナー５の集合体が対向電極４に向かって飛翔し、ＦＰＣ２の孔を通過する。この孔を通過したトナー５の集合体は、対向電極４に印加された電圧により形成される飛翔電界に引かれてさらに飛翔を続け、対向電極４上を搬送手段（不図示）により所定方向に搬送されている紙３に付着して飛翔を終える。この付着により、紙３上に複数のトナー５の集合体からなるドットが記録される。
【０００５】
そして、近年、この直接記録方法の応用技術として、上記飛翔制御電極の他に偏向制御電極を設け、この偏向制御電極に偏向電圧を印加することにより、飛翔させたトナーの飛翔経路を偏向させるドットディフレクションコントロール法（以下、ＤＤＣ法と称する）が、スウェーデンのアレイ  プリンターズ  ＡＢ社により提案されている。
【０００６】
図２（ａ）、（ｂ）及び（ｃ）はそれぞれＤＤＣ法によるトナーの飛翔状態を示した模式図である。図中、２ｂ１及び２ｂ２は飛翔制御電極２ａの近傍に対向配置された偏向制御電極対である。また、黒色で示される飛翔制御電極２ａは、上記Ｖｂｌａｃｋが印加されている状態を示す。さらに、黒色で示される偏向制御電極２ｂ１又は２ｂ２は、後述の偏向電圧が印加されている状態を、白色で示される飛翔制御電極２ｂ１又は２ｂ２は、該偏向電圧が印加されていない状態（又はＶａｃｔｉｖｅよりもゼロに近い電圧値であるＶｎｏｎａｃｔが印加されている状態）を、それぞれ示す。
【０００７】
ＤＤＣ法では、上記Ｖｂｌａｃｋに加えて、例えば＋３２５［Ｖ］の偏向電圧（Ｖａｃｔｉｖｅ）を偏向制御電極に印加することにより、トナー５の飛翔経路を主走査方向に偏向させてトナー５の紙３上への付着位置を、本来の付着位置から図２の左方向（ａ）又は右方向（ｃ）にずらす。そして、このようにトナー５の紙３上への付着位置をずらすことにより、１つの上記ドット形成部から、紙３上の３画素分に相当する３つのドットを形成することができる。具体的には、紙３を副走査方向に１画素分移動させる間に、飛翔経路を主走査方向に対して左方向に偏向させたトナーの集合体によるドットＬｄ（図２（ａ））と、飛翔経路を偏向させないトナーの集合体によるドットＮｄ（図２（ｂ））と、飛翔経路を主走査方向に対して右方向に偏向させたトナーの集合体によるドットＲｄ（図２（ｃ））とを、紙３上に形成する。
【０００８】
以上のように、ＤＤＣ法では、１つの上記ドット形成部により３つのドットを形成できるので、ＦＰＣの構造を簡素化して製造コストを低減することができる。例えば、１００［ｄｐｉ］用のＦＰＣで３００［ｄｐｉ］の画像を形成することができる。
【０００９】
一方、従来、電子写真方式の画像形成方法として、文字や図形等の画像のエッジをスムージング処理することにより、形成画像の品質を向上させるものが知られている。例えば、レーザプリンタでは、主に次のようなスムージング処理法が用いられている。即ち、レーザの点灯時間を変えてドットの大きさを変化させることにより、主走査方向におけるエッジ補正を、レーザの点灯の位相を変えて記録部材へのドットの付着位置を変化させることにより、副走査方向におけるエッジ補正を、それぞれ行うことによりエッジのスムージングを行っている。
【００１０】
しかし、このようなスムージング処理法では、主走査方向におけるドットの付着位置が補正されないので、不完全なスムージングとなってしまう。
図３は原型画像を、図４はこの原型画像を３００ｄｐｉ２値画像で形成したものを、図４は図３の画像に従来の上記スムージング処理法を施したものを、それぞれ示す。なお、本明細書において、「原型画像」とは、例えば複写等のようにオリジナル画像と同等の画像を複製する場合には該オリジナル画像等のことを示し、ＣＡＤ等で作成した図面情報やフォント等の文字情報に基づいて画像を形成する場合には、これらの情報により具体化される画像等のことを示す概念である。また、それぞれの図の各マス目は３００ｄｐｉの１画素を示す。さらに、本来、各ドットは円形に形成されるが、これらの図においては便宜的に正方形で示している。
【００１１】
図３及び図４に示されるように、原型画像を３００ｄｐｉ２値画像に変換するとジャギーの目立つエッジとなる。そして、この３００ｄｐｉ２値画像に従来の上記スムージング処理法を施すと、図５に示されるように、主走査方向（図面左右方向）においては、ドット（マス目ｃ５、ｃ６、ｇ６及びｇ７）の付着位置調整により、エッジがスムージングされて原型画像の曲線に近い形状となる。他方、副走査方向（図面上下方向）においては、ドットの付着位置を調整することができないため、ドット（マス目ｅ３、ｆ２、ｇ２、ｈ２、ｈ５及びｉ５）の大きさ調整によりエッジがスムージングされる。しかし、ドットの大きさ調整によってスムージングされるエッジは、ドットの付着位置調整によってスムージングされるエッジよりも、ジャギーが目立ってしまう。即ち、レーザープリンタにおけるエッジスムージング処理法では、副走査方向におけるドットの付着位置を調整することができないので、副走査方向におけるエッジスムージングが不完全になるという不具合がある。
【００１２】
このような不具合は、ＬＥＤや感熱記録方式の画像形成方法においても同様に生じ、これらの方式の場合には、印字ヘッドの構造に起因して主走査方向のエッジスムージングが不完全となる。
【００１３】
【発明が解決しようとする課題】
ところで、直接記録方法やＤＤＣ法にエッジスムージング処理を併用する場合においては、主走査方向におけるドットの付着位置を各ドット形成部毎に調整することができないので、主走査方向におけるエッジスムージングが不完全になるという問題がある。例えば、ＤＤＣ法においては、トナーの飛翔経路を偏向させて主走査方向における記録部材上のドットの付着位置を変化させることが可能であるが、この偏向はあくまでも隣接画素の正規位置にドットを形成させるためのものであり、図２における偏向距離Ｌは全てのドット形成部において同一である。即ち、全ての上記ドット形成部におけるドットの偏向距離Ｌを一律に調整すればよい。このため、全ての偏向制御電極２ｂ１を導通可能な状態に、且つ、全ての偏向制御電極２ｂ２を導通可能な状態にそれぞれ構成し、上記Ｖｂｌａｃｋの印加にかかわらず、全ての偏向制御電極２ｂ１と全ての偏向制御電極２ｂ２とへの適切な上記偏向電圧の印加を、一律にＯＮ／ＯＦＦしている。勿論、印加する上記偏向電圧の値を変化させることにより、偏向距離Ｌを変化させることは可能であるが、この場合、該印加の時に形成される各ドットの偏向距離Ｌが全て一律に変化してしまう。
【００１４】
本発明は以上の背景に鑑みなされたものであり、その目的とするところは、直接記録方法を用いる画像形成方法又は画像形成装置において、ジャギーの目立たない優れたエッジスムージングを実現することができる画像形成方法又は画像形成装置を提供することである。
【００１７】
【課題を解決するための手段】
上記目的を達成するために、請求項１の発明は、複数の微小開口部を互いに独立あるいは一連に設けた開口部保持部材と、前記開口部保持部材と一体又は別体に設け、粒子担持体に担持させた微小な画像形成粒子の前記粒子担持体からの飛翔を制御させる複数の飛翔制御電極と、前記開口部保持部材と一体又は別体に設け、画像形成粒子の飛翔経路の偏向を制御させる複数の偏向制御電極とを前記粒子担持体に対向させた対向電極と前記粒子担持体との間に配設し、画像情報に基づいて、任意の飛翔制御電極に飛翔電圧を印加して前記粒子担持体から画像形成粒子を選択的に飛翔させ、又は、任意の飛翔制御電極に飛翔電圧を、前記偏向制御電極に偏向電圧をそれぞれ印加して前記粒子担持体から画像形成粒子を選択的且つ偏向的に飛翔させ、飛翔させた画像形成粒子を任意の微小開口部を通して前記対向電極側に移行させることで、前記対向電極上又は前記対向電極上の記録部材上に、移行させた画像形成粒子を付着させて画像を形成する画像形成方法であって、前記飛翔電圧の印加タイミング、前記偏向電圧の印加タイミング、又は、前記偏向電圧の値、のうち少なくとも１つを各飛翔制御電極又は各偏向制御電極に対して個々に調整することにより、前記対向電極上又は前記記録部材上における画像形成粒子の付着位置を、前記記録部材の表面の移動方向、及び、前記移動方向に直交し且つ前記表面に平行な方向、に個々に調整して前記表面の画像部と非画像部との境界を平滑化し、且つ、その平滑化の際に、原型画像の画像部と非画像部とのエッジに相当する位置よりも画像部側に生じてしまう欠損部の面積が所定値以上になる場合には、前記原型画像の非画像部に対応する粒子担持体領域から画像形成粒子を飛翔させ、その画像形成粒子の前記付着位置を、１画素を超える移動距離で調整して、前記画像形成粒子を前記欠損部に付着させることを特徴とするものである。
【００１８】
この発明においては、上記微小開口部と、この微小開口部に対応する上記飛翔制御電極及び上記偏向制御電極と（以下、これらをまとめて単位画像形成部と称する）を用いて形成する単位画像の上記対向電極上又は上記記録部材上における付着位置を、主副両走査方向に調整することにより、エッジをスムージングする。例えば、各単位画像形成部毎に、各飛翔制御電極への飛翔電圧の印加タイミングを変化させたり、各偏向制御電極に印加する偏向電圧の値を変化させて上記偏向の大きさを変化させたりすることにより、上記対向電極又は上記記録部材の移動方向における各単位画像の付着位置を個々に調整する。また例えば、各単位画像形成部毎に、各偏向制御電極に印加する偏向電圧の値を変化させて上記偏向の大きさを変化させることにより、上記移動方向に直行し且つ上記対向電極又は上記記録部材の表面に平行な方向における各単位画像の付着位置を個々に調整する。
更に、この発明においては、原型画像の非画像部に対応する上記粒子担持体の表面の画像形成粒子を飛翔させ、１画素を超える距離で上記偏向させて他の画素に付着させる。例えば、原型画像のエッジに接触する部分の画素に形成する単位画像の大きさや付着位置を調整するだけでは、エッジのスムージングに限界があり、僅かながら上記欠損面積が生じてしまう。本発明においては、原型画像の非画像部に対応する画素の単位画像を１画素を超える距離で移動・付着させることにより、この僅かな上記欠損面積に画像を補うことができる。
【００２２】
請求項２の発明は、請求項１の画像形成方法であって、上記偏向制御電極として、上記記録部材の表面の移動方向に直交し且つ前記表面に平行な方向への上記偏向を制御させる偏向制御電極を用い、上記偏向電圧の値を各偏向制御電極に対して個々に調整することにより、前記移動方向に直交し且つ前記表面に平行な方向における上記付着位置を調整し、上記飛翔電圧、又は、前記飛翔電圧及び前記偏向電圧、の印加タイミングを、各飛翔制御電極、又は、各飛翔制御電極及び各偏向制御電極、に対して個々に調整することにより前記移動方向における上記付着位置を調整することを特徴とするものである。
【００２３】
この発明においては、各偏向制御電極に印加する偏向電圧の値を変化させて上記平行な方向における上記偏向の大きさを変化させることにより、上記対向電極上又は上記記録部材上の該平行な方向における各単位画像の付着位置を調整する。また、各飛翔制御電極、又は、各飛翔制御電極及び各偏向制御電極、への上記飛翔電圧、又は、該飛翔電圧及び該偏向電圧、の印加タイミングを個々に変化さることにより、上記対向電極上又は上記記録部材上の上記移動方向における各単位画像の付着位置を調整する。即ち、上記偏向制御電極は、画像形成粒子の飛翔経路を上記平行な方向にのみ偏向制御すればよく、上記移動方向に偏向制御する必要がない。
【００２４】
請求項３の発明は、請求項１又は２の画像形成方法であって、上記偏向制御電極として、上記記録部材の表面の移動方向に直交し且つ前記表面に平行な方向への上記偏向を制御させる第１偏向制御電極と、前記移動方向への上記飛翔経路の偏向を制御させる第２偏向制御電極とを用い、各第１偏向制御電極及び各第２偏向制御電極に印加する上記偏向電圧の値を個々に調整することにより前記移動方向に直交し且つ前記表面に平行な方向及び前記移動方向おける上記付着位置を個々に調整することを特徴とするものである。
【００２５】
この発明においては、各第１偏向制御電極に印加する偏向電圧の値を変化させて該平行な方向における上記偏向の大きさを個々に変化させることにより、上記対向電極上又は上記記録部材上の上記平行な方向における各単位画像の付着位置を調整する。また、各第２偏向制御電極に印加する偏向電圧の値を変化させて上記移動方向における上記偏向の大きさを個々に変化させることにより、上記対向電極上又は上記記録部材上の上記移動方向における各単位画像の付着位置を調整する。従って、各単位画像形成部に対して、各飛翔制御電極又は各偏向制御電極への飛翔電圧又は偏向電圧の印加タイミングを個々に変化させる必要がない。
【００２６】
なお、原型画像の上記境界に対して、単位画像を跨げて上記付着させる場合には、該原型画像の該境界よりも、非画像部側に突出させる該単位画像の面積と、画像部側に生じてしまう非画像形成部分の面積とを等しくする位置に、該単位画像を付着させるようにするとよい。
【００２７】
このようにすることで、原型画像のエッジに対して、単位画像を跨げて上記付着させる場合には、該エッジよりも、非画像部側に突出させる該単位画像の面積（以下、突出面積と称する）と、画像部側に生じてしまう非画像部分の面積（以下、欠損面積と称する）とを等しくする。例えば、突出面積を欠損面積よりも広くすると、形成画像の面積が該原型画像の面積よりもよりも広くなる。また例えば、突出面積を欠損面積よりも狭くすると、形成画像の面積が該原型画像の面積よりもよりも狭くなる。そして、原型画像と形成画像との面積の差が大きくなるほど、原型画像と形成画像との形状に差が生ずる。つまり、上記突出面積を上記欠損面積よりも広くしたり狭くしたり（又は上記欠損面積を上記突出面積よりも広くしたり狭くしたり）するほど、原型画像と形成画像との形状の差が大きくなる。
【００２８】
請求項４の発明は、請求項１、２又は３の画像形成方法であって、各飛翔制御電極への上記飛翔電圧の印加時間長さを個々に調整することを特徴とするものである。
【００２９】
この発明においては、上記対向電極上又は上記記録部材上に形成される単位画像の大きさは、上記飛翔電圧の印加時間長さと正の相関があり、標準の単位画像の大きさを限度として、該印加時間が長いほど大きくなる。このため、各飛翔制御電極への上記飛翔電圧の印加時間を個々に調整するにより、各微小開口部を通過させる画像形成粒子の数を各微小開口部毎に調整して、上記対向電極上又は上記記録部材上に形成する単位画像の大きさを個々に調整できる。そして、標準よりも小さな大きさに調整した単位画像を用いることにより、微小な上記欠損面積に対して効率よく画像を補充し、形成画像と原型画像との画像面積の差をより小さくすることができる。
【００３０】
なお、原型画像の上記境界よりも画像部側に生じてしまう非画像部分の面積を最小にするように、上記単位画像の大きさを調整することが望ましい。
【００３１】
このようにして、形成する上記単位画像の大きさを調整して上記欠損面積を最小にすることで、形成画像と原型画像との画像面積の差をより小さくする。
【００３４】
また、１つの上記微小開口部から、上記平行な方向の一方の方向に上記偏向させる画像形成粒子の集合体と、該偏向させない画像形成粒子の集合体と、該平行な方向のもう一方の方向に該偏向させる画像形成粒子の集合体とをそれぞれタイミングを分けて飛翔させるドットディフレクションコントロール法を用いるようにすることが望ましい。
【００３６】
請求項５の発明は、互いに独立あるいは一連に形成された複数の微小開口部を有する開口部保持部材と、前記開口部保持部材と一体又は別体に形成され、粒子担持体に担持される微小な画像形成粒子の前記粒子担持体からの飛翔を制御する複数の飛翔制御電極と、前記開口部保持部材と一体又は別体に形成され、画像形成粒子の飛翔経路の偏向を制御する複数の偏向制御電極と、を前記粒子担持体に対向する対向電極と前記粒子担持体との間に備え、画像情報に基づいて、任意の飛翔制御電極に飛翔電圧を印加して前記粒子担持体から画像形成粒子を選択的に飛翔させ、又は、任意の飛翔制御電極に飛翔電圧を、前記偏向制御電極に偏向電圧をそれぞれ印加して前記粒子担持体から画像形成粒子を選択的且つ偏向的に飛翔させ、飛翔させた画像形成粒子を任意の微小開口部を通して前記対向電極側に移行させることで、前記対向電極上又は前記対向電極上の記録部材上に、移行させた画像形成粒子を付着させて画像を形成する画像形成装置であって、前記飛翔電圧の印加タイミング、前記偏向電圧の印加タイミング、又は、前記偏向電圧の値、のうち少なくとも１つを各飛翔制御電極又は各偏向制御電極に対して個々に調整することにより、前記対向電極上又は前記記録部材上における画像形成粒子の付着位置を、前記対向電極又は前記記録部材の表面の移動方向、及び、前記移動方向に直交し且つ前記表面に平行な方向、に個々に調整して前記表面の画像部と非画像部との境界を平滑化し、且つ、その平滑化の際に、原型画像の画像部と非画像部とのエッジに相当する位置よりも画像部側に生じてしまう欠損部の面積が所定値以上になる場合には、前記原型画像の非画像部に対応する粒子担持体領域から画像形成粒子を飛翔させ、その画像形成粒子の前記付着位置を、１画素を超える移動距離で調整して、前記画像形成粒子を前記欠損部に付着させることを特徴とするものである。
【００３７】
この発明においては、上記対向電極上又は上記記録部材上における各単位画像の付着位置を、主副両走査方向に調整してエッジをスムージングする。更に、原型画像の非画像部に対応する上記粒子担持体の表面の画像形成粒子を飛翔させ、１画素を超える距離で上記偏向させて他の画素に付着させる。例えば、原型画像のエッジに接触する部分の画素に形成する単位画像の大きさや付着位置を調整するだけでは、エッジのスムージングに限界があり、僅かながら上記欠損面積が生じてしまう。本発明においては、原型画像の非画像部に対応する画素の単位画像を１画素を超える距離で移動・付着させることにより、この僅かな上記欠損面積に画像を補うことができる。
【００４０】
【発明の実施の形態】
まず、従来の直接記録方法を用いる画像形成装置（以下、直接記録画像形成装置と称する）の一例について説明する。
図６は本一例の直接記録画像形成装置の要部の概略構成を示す斜視図である。本直接記録画像形成装置は、画像形成粒子としてのトナーを担持する粒子担持体としての現像ローラ１、該現像ローラ１に対向するように配置した対向電極としての対向電極部材４、複数のドット形成部（即ち、微小開口部を有する開口部保持部材、飛翔制御電極及び偏向制御電極）を有するＦＰＣ２等を備えている。現像ローラ１はトナーを収容するトナー容器６の内部に配置され、現像ローラ１の表面には、公知技術によりトナーを担持させることができる。本一例では、ドクターブレード７あるいは図示を省略されたトナー供給部材と現像ローラ１との間における摩擦によってマイナスに摩擦帯電したトナーを、静電気力で現像ローラ１上に担持し、ドクターブレード７で規制することによりトナー層を形成している。
【００４１】
上記ＦＰＣ２は、トナー容器６の下壁部に形成された開口を塞ぐように取り付けられている。このＦＰＣ２は、図７に示されるように、現像ローラ１と対向電極部材４との間で現像ローラ１から対向電極部材４へのトナー飛翔を制御するように、複数の微小開口部としてのトナー通過孔（以下「孔」という）２ｃ及び各孔の周りに形成された内径０．１６０［ｍｍ］の飛翔制御電極としてのリング状電極２ａを有している。この孔２ｃの内径、及び、紙３の搬送方向と直交する方向（現像ローラ１の軸方向）における孔２ｃ間のピッチｐｈは、紙３に記録する画像の解像度に応じて設定される。本一例では、解像度３００［ｄｐｉ］程度の画像を記録できるように、厚さ０．０７５［ｍｍ］のポリイミドからなる基板に、内径φが０．１４０［ｍｍ］の孔２ｃを、上記ピッチｐｈが０．０８４５［ｍｍ］となる間隔で形成している。また、この孔２ｃは、紙３の搬送方向の幅Ｗが約２［ｍｍ］の領域に８列（２ｃ−１〜２ｃ−８）形成され、孔２ｃの総数は２３００個となっている。各孔２ｃの周りには互いに電気的に独立した、内径＝０．１６０［mm］のリング状電極２ａが形成され、各リング状電極２ａは、画像情報に応じた電圧を印加するための電源回路に接続されている。
【００４２】
図８は、本直接記録画像形成装置の画像記録部の拡大模式図である。トナー５を担持する現像ローラ１は接地され、この現像ローラ１と対向して設けられた対向電極部材４との間に、現像ローラ１上に担持されたトナー５を対向電極部材４に向けて飛翔させるための飛翔電界を形成する高圧電源８が接続されている。この高圧電源８により対向電極部材４にトナー５の平均的な帯電極性と逆の極性の直流高電圧が印加される。
【００４３】
また、現像ローラ１と対向電極部材４との間には、ＦＰＣ２が配設されている。そして、現像ローラ１とＦＰＣ２の各リング状電極２ａとの間には、画像情報に基づいて生成された制御電圧を各リング状電極２ａに印加する電源（以下「画像電源」という）９が接続されている。この画像電源９により、画像情報に基づいてＯＮ／ＯＦＦ制御されたパルス状の制御電圧が各リング状電極２ａに対して印加される。この制御電圧のＯＮ時の電圧（以下、飛翔制御電圧又はＶｂｌａｃｋという）の値は例えば＋３２５［Ｖ］、ＯＦＦ時の電圧（以下、非飛翔制御電圧又はＶｗｈｉｔｅという）の値は例えば−５０［Ｖ］に設定される。
【００４４】
また、図示の装置では、上記ＦＰＣ２のリング状電極２ａと対向電極部材４との間隔Ｌｉは０．５［ｍｍ］、リング状電極２ａと現像ローラ１との間隔Ｌｋは０．０５［ｍｍ］、現像ローラ１の周速は３００［ｍｍ／ｓｅｃ］、紙３の搬送速度は１００［ｍｍ／ｓｅｃ］である。
【００４５】
図９はトナーの飛翔状態を示した模式図である。例えば、マイナスに帯電するトナーを用い、現像ローラ１を接地し、対向電極４に＋９００［Ｖ］の直流高電圧（以下、Ｖｂｅとも称する）を印加し、飛翔制御電極２ａに＋３２５［Ｖ］の飛翔制御電圧（Ｖｂｌａｃｋ）を２００［μｓｅｃ］印加する。この印加により、現像ローラ１上のトナー５に対して６×１０6［Ｖ／ｍ］の電界が作用する。そして、この作用の結果、トナー５に加わるクーロン力が、トナー５と粒子担持体１との間に作用している付着力や鏡像力の和を上回って、トナー５の集合体が対向電極４に向かって飛翔し、ＦＰＣ２の孔を通過する。この孔を通過したトナー５の集合体は、対向電極４に印加された電圧により形成される飛翔電界に引かれてさらに飛翔を続け、対向電極４上を搬送手段（不図示）により所定方向に搬送されている紙３に付着して飛翔を終える。この付着により、紙３上に複数のトナー５の集合体からなるドットが記録される。なお、この装置において、紙３上のトナーを付着させない非画像部に対応するリング状電極２ａには、−５０［Ｖ］の非飛翔制御電圧（Ｖｗｈｉｔｅ）が印加される。
【００４６】
以上のように、従来の直接記録画像形成装置を用いて紙３上に画像を形成することができる
【００４７】
次に、ＤＤＣ法を用いて画像を形成する従来の画像形成装置（以下、ＤＤＣ画像形成装置）の一例について説明する。
本一例に係るＤＤＣ画像形成装置においては、上記直接記録画像形成装置の構成に加え、ＦＰＣ２が現像ローラ１から飛翔したトナーを偏向する偏向制御電極対２ｂを有している。図１０は、本ＤＤＣ画像形成装置におけるＦＰＣ２の孔２ｃの拡大図であり、（ａ）は平面図、（ｂ）は断面図である。このＦＰＣ２は、リング状電極２ａに加え、リング状電極２ａよりも対向電極部材４側に偏向制御電極対である偏向制御電極２ｂ−１及び２ｂ−２を有している。偏向制御電極２ｂ−１及び第２偏向制御電極２ｂ−２はそれぞれバナナ状、具体的には上記リング状の飛翔制御電極２ａより一回り大きなリングの１８０度よりも小さな角度分に相当する形状をしていて、上述の孔２ｃを挟むように形成されている。各孔２ｃに対応する各偏向制御電極２ｂ−１は電気的に全て導通するように構成され、同時に同じ値の電圧が印加される。同様に、各孔２ｃに対応する各偏向制御電極２ｂ−２は電気的に全て導通するように構成され、同時に同じ値の電圧が印加される。
【００４８】
図１１は、図１０のＦＰＣ２の偏向制御電極２ｂ−１に＋３２５［Ｖ］の偏向側偏向制御電圧（以下、Ｖｄｅｆ１とも称する）を、偏向制御電極２ｂ−２に−５０［Ｖ］の反偏向側偏向制御電圧（以下、Ｖｄｅｆ２とも称する）を、それぞれ印加したときのトナー５の飛翔の状態を示す模式図である。なお、この模式図は、トナーの飛翔をコンピュータでシミュレーションした結果に基づいて描かれており、該シミュレーションにより得られる結果は、実際のトナーの飛翔状態に酷似していることが実験により確かめられている。また、他の電圧の印加条件については、上記直接記録画像形成装置と同様であり、具体的には、Ｖｂｌａｃｋを＋３２５［Ｖ］に、Ｖｗｈｉｔｅを−５０［Ｖ］に、Ｖｂｅを＋９００［Ｖ］に設定している。さらに、図１１（ａ）はＶｂｌａｃｋ印加直後のトナーの位置を示しており、図１１（ｂ）、図１１（ｃ）及び図１１（ｄ）はその２００μｓｅｃ後、４００μｓｅｃ後、５２３μｓｅｃ後のトナーの位置を示す。また、図中上下に延びる線は電気力線である。現像ローラ１上の、孔２ｃの中央部に対応する位置より飛翔し始めたトナー５は、電気力線に沿って左に移動され、上記中央部に対応する位置より左にシフトして紙３の上に着地する。偏向制御電極２ｂ−１と偏向制御電極２ｂ−２との間の電位差を変えると、該電位差により形成される電界（以下、偏向電界という）が変わり、トナー５の着地点は変わる。
【００４９】
偏向制御電極２ｂ−２への印加電圧を０［Ｖ］一定とし、偏向制御電極２ｂ−１への印加電圧を変化させて上記シミュレーションを行ったときの、偏向制御電極２ｂ−１への印加電圧と、紙３上の上記中央部に対応する位置からのトナー着地点のシフト量との関係を表１に示す。左右の偏向制御電極間の電位差に正比例して上記中央部に対応する位置からのシフト量は大きくなる。実測でも、ドットの位置は偏向電位差に従って変わっていた。なお、このシミュレーションにおいて、トナーの帯電量は一律−２［μＣ／ｇ］として計算した。また、表１を２次元軸空間にプロットしたものを図１２に示す。
【表１】
0003981463.tif 000002
【００５０】
上述のようにＤＤＣ法によれば、ドット形成部の数を減らすことが可能である。例えば、３００［ｄｐｉ］で３分割する場合には、一つの孔から時間的に３つに分けてトナーストリームを通過させ、その先頭トナーストリームを左に３００［ｄｐｉ］相当分約８４［μｍ］偏向させ、次のトナーストリームは偏向電圧を印加せずに直進させ、３番目のトナーストリームは、右に約８４［μｍ］偏向させて画像を形成する。このようにすれば、１００［ｄｐｉ］用のドット形成部数で３００［ｄｐｉ］の画像を得ることができる。本一例のＤＤＣ画像形成装置を用いて図３に示した原型画像を形成したところ、図４と同様の３００［ｄｐｉ］２値の画像を形成することができた。
【００５１】
なお、３００［ｄｐｉ］２値画像を形成するＬＥＤや感熱記録方式を用いる画像形成装置でも、図４と同様の画像を形成することができる。また、ＤＤＣ、ＬＥＤ又は感熱記録方式を用いる画像形成装置で形成画像のエッジスムージング処理を行う場合には、記録部材表面の主走査方向又は副走査方向のいずれかの方向におけるドットの付着位置を調整することができないので、該いずれかの方向におけるエッジのスムージングが不完全となる。例えば、本一例のＤＤＣ画像形成装置が形成する画像の場合には、図５に示されたように、図の上下方向（以下、副走査方向と称する）におけるエッジのスムージングが不完全となる。
【００５２】
次に、本発明を適用した画像形成装置の第１実施形態について説明する。
本第１実施形態に係る画像形成装置のＦＰＣ２の各偏向制御電極２ｂ−１及び各偏向制御電極２ｂ−２は、図示を省略された電気回路により、それぞれ個別にＶｄｅｆ１又はＶｄｅｆ２が印加される。一方、図示を省略された制御回路は、各偏向制御電極２ｂ−１及び各偏向制御電極２ｂ−２に対して、図示を省略された電源より任意のタイミングで且つ任意の値のＶｄｅｆ１又はＶｄｅｆ２を印加するように制御することで、図４の上下方向（以下、副走査走向と称する）におけるドットの付着位置を調整する。また、各リング状電極２ａに対して、画像電源９より任意のタイミングでＶｂｌａｃｋを印加するように制御することで、図４の左右方向（以下、主走査方向と称する）におけるドットの付着位置を調整する。さらに、これらの調整を行いながら、上記３００［ｄｐｉ］２値画像の形成において非画像部とすべきであった画素（例えば図４のｃ５、ｄ３、ｅ３、ｆ２、ｇ２、ｇ６、ｈ５及びｉ５、以下同じ）にドットの一部を付着させるように制御する。これらの制御により、形成画像のエッジスムージングが行われる。なお、このエッジスムージングの際、ドットの付着位置を決定するアルゴリズムとして、原型画像のエッジより非画像部側に突出させる部分のドットの面積（突出面積）と、画像部側に生じてしまう非画像形成部分（欠損面積）との面積を等しく且つ最小にするアルゴリズムが用いられる。
以上の構成の他は、上記ＤＤＣ画像形成装置の構成と同様であるので、説明を省略する。
【００５３】
図１３は、図３の原型画像に係る画像情報を基に本画像形成装置を用いて形成した画像の拡大図、図１４は、図３の原型画像に係る画像情報を基に公知の画像形成技術を用いて形成した１２００［ｄｐｉ］２値画像の拡大図である。図示のように、本第１実施形態の画像形成装置により形成される画像のエッジの滑らかさは、１２００［ｄｐｉ］２値画像のエッジの滑らかさに匹敵することがわかる。即ち、本画像形成装置は、１００［ｄｐｉ］用のドット形成部数で、１２００［ｄｐｉ］２値画像に匹敵する画像を形成することができる。
【００５４】
次に、本発明を適用した画像形成装置の第２実施形態について説明する。
図１５は本画像形成装置のＦＰＣ２における孔２ｃの拡大図であり、（ａ）は平面図、（ｂ）は断面図である。このＦＰＣ２において、上記孔２ｃを通過するトナーを偏向させるための偏向制御電極２ｂは、副走査方向にトナー粒子を偏向させるような電圧が印加される第１偏向制御電極対としての偏向制御電極２ｂ−１及び２ｂ−２と、主走査方向に該偏向させるような電圧が印加される第２偏向制御電極対としての偏向制御電極２ｂ−３及び２ｂ−４とから構成されている。即ち、図１０に示されたＦＰＣ２における、トナー粒子を副走査方向で偏向可能に左右に設けられた偏向制御電極２ｂ−１及び２ｂ−２に加えて、上下に第２偏向制御電極対としての偏向制御電極２ｂ−３及び２ｂ−４を追加して構成している。また、各偏向制御電極２ｂ−１、２ｂ−２、２ｂ−３及び２ｂ−４は、それぞれ個別にＶｄｅｆ１又はＶｄｅｆ２が印加されるように構成されている。一方、図示を省略された制御回路は、各偏向制御電極２ｂ−１、２ｂ−２、２ｂ−３及び２ｂ−４に対して、図示を省略された電源より任意のタイミングで且つ任意の値のＶｄｅｆ１又はＶｄｅｆ２を印加するように制御することで、主走査方向及び副走査方向におけるドットの付着位置を調整する。また、この調整を行いながら、上記３００［ｄｐｉ］２値画像の形成において非画像部とすべきであった画素に、ドットの一部を付着させるように制御する。これらの制御により、形成画像のエッジスムージングが行われる。なお、このエッジスムージングの際、ドットの付着位置を決定するアルゴリズムとして、原型画像のエッジより非画像部側に突出させる部分のドットの面積（突出面積）と、画像部側に生じてしまう非画像形成部分（欠損面積）との面積を等しくするアルゴリズムが用いられる。また、各リング状電極２ａへのＶｂｌａｃｋの印加タイミングは変更されない。
以上の構成の他は、上記ＤＤＣ画像形成装置の構成と同様であるので、説明を省略する。
【００５５】
図３の原型画像に係る画像情報に基づいて本画像形成装置を用いて画像を形成したところ、図１３と同様の画像が形成された。即ち、本画像形成装置は、１００［ｄｐｉ］用のドット形成部数で、１２００［ｄｐｉ］２値画像に匹敵する画像を形成することができる。但し、本画像形成装置は、各ドット形成部に４つの偏向制御電極を有し、且つ、これら偏向制御電極へ電圧を個別に印加するように構成されているので、ＦＰＣの構造が上記第１実施形態の画像形成装置より複雑である。一方、上記第１実施形態の画像形成装置は、本画像形成装置よりもＦＰＣの構造が簡素であるが、各偏向制御電極及び各リング状電極への電圧印加のタイミングを個別に調整するので、該電圧印加の制御の方法、該制御に用いる制御回路、該制御回路に用いる制御プログラム、等が本画像形成装置より複雑である。
【００５６】
次に、上記第１実施形態の画像形成装置に、より特徴的な構成を適用した一実施例について説明する。本実施例の画像形成装置の制御回路は、上記エッジスムージングの際、各リング電極２ａに対して、画像電源９より任意の時間長さ（以下、パルス幅と称する）で、Ｖｂｌａｃｋ又はＶｗｈｉｔｅを印加するように制御する。図１６は、本実施例における、リング電極２ａに印加するＶｂｌａｃｋのパルス幅［μｓｅｃ］と、該パルス幅を用いて形成されるドットの形状との関係を示す模式図である。図示のように、リング電極２ａに印加するＶｂｌａｃｋのパルス幅の変化に応じて、形成されるドットのサイズが変化する。具体的には、Ｖｂｌａｃｋのパルス幅が小さくなる程、ドットのサイズが小さくなる。即ち、本画像形成装置においては、リング電極２ａに印加するＶｂｌａｃｋのパルス幅を変化させることにより、形成するドットのサイズを変化させる。また、制御回路は、上記欠損面積及び上記突出面積が最小となるようにドットのサイズ変化させる。
【００５７】
以上の構成の本画像形成装置を用い、図３の原型画像に係る画像情報に基づいて画像を形成したところ、図１７に示される画像が形成された。図示のように、本画像形成装置により形成した画像の形状は、図１３に示される画像の形状よりもさらに原型画像に近いことがわかる。具体的には、図１３の欠損面積Ａ、Ｂ、Ｃ及びＤが、消失しているか又は減少していることにより、原型画像の形状に近づいている。
【００５８】
次に、上記実施例の画像形成装置に、より特徴的な構成を適用した一具体例について説明する。
本具体例の画像形成装置の制御回路は、上記エッジスムージングの際、上記アルゴリズムに加えて、上記欠損面積が所定値以上になる場合には、原型画像では非画像部となる紙３上の画素に対応する現像ローラ１の領域から、該欠損面積に応じた量のトナーを飛翔させ、該飛翔させたトナーの紙３上への付着位置を、１画素を超える移動距離で調整することにより、該欠損面積上に付着させるアルゴリズムを用いる。具体的には、１画素あたりに含まれる上記欠損面積の割合が、１０％以上になる場合にこのアルゴリズムを用いる。
【００５９】
以上の構成の本画像形成装置を用い、図３の原型画像に係る画像情報に基づいて画像を形成したところ、図１８に示される画像が形成された。図１９は、図１７の画像に含まれるドットの輪郭のみを示すとともに、上記アルゴリズムにより１画素以上の距離を移動されたドットを示すものである。図示のように、ｂ５及びｂ６の画素に対応するドットが、大きさを小さくされながら、ｃ５とｃ６との間、及び、ｃ６とｃ７との間、にそれぞれ移動・付着されることにより、ｃ５とｃ６との間、及び、ｃ６とｃ７との間、にそれぞれ生じる上記欠損面積を補充している。この補充により、図１７の画像、即ち上記実施例の画像形成装置により形成された画像、よりも原型画像に近い形状の画像を形成することができる。
【００６０】
なお、図２０に、図１８の画像に含まれる全てのドットの輪郭を示すとともに、移動されたドットが本来付着されるべきであった位置を点線で示した。図示のように、ｃ５、ｄ３、ｆ２、ｇ６、ｈ５及びｉ５の画素に対応するドットが標準の大きさで移動・付着され、且つ、ｂ５、ｂ６、ｂ８、ｃ４、ｅ２及びｇ７の画素に対応するドットが大きさを小さくされながら移動・付着されていることがわかる。
【００６１】
次に、本発明を適用した画像形成装置の第３実施形態について説明する。
本第３実施形態の画像形成装置は、上記第１実施形態の１００ｄｐｉ相当の電極パターンと異なり、３００ｄｐｉ相当の電極パターンを備えている。即ち、本第３実施形態の画像形成装置は、ドット形成部を上記第１実施形態の画像形成装置より３倍多く備えている。また、ＤＤＣ法を実施しないように構成されている。以上の構成の他は、上記第１実施形態の画像形成装置と同様であるので説明を省略する。
【００６２】
図３の原型画像に係る画像情報に基づいて本画像形成装置を用いて画像を形成したところ、図１３と同様の画像が形成された。但し、実施形態の３倍の速度で画像を形成することができた。
【００６３】
なお、本明細書のそれぞれの実施形態、実施例及び具体例において、ＦＰＣ２の現像ローラ１側に飛翔制御電極２ａを設け、対向電極４側に偏向制御電極２ｂを設けた画像形成装置について説明したが、図２に示したように、飛翔制御電極２ａと同一平面で且つ飛翔制御電極２ａの外側に偏向制御電極２ｂを設けてもよい。また、各電極の構造は、リング状やバナナ状に限らず、様々な変形が可能である。また、帯電させたトナー粒子を用いる粉体画像形成方法や粉体画像形成装置に限らず、イオンを制御するイオンモジュレーシヨンや、帯電させたインク滴を電界で偏向させる荷重偏向型インクジェット等を用いる画像形成方法又は画像形成装置にも本発明が適応可能である。
【００６４】
また、紙などの用紙を記録部材として、該記録材上にトナーを付着させて画像形成を行うものを例示したが、該記録部材としては、紙などの絶縁体の他、紙の背面に上記対向電極として機能する電極層（例えばアルミ箔層）を形成したものでもよい。更に、該対向電極は、回転する無端ベルト状の金属薄膜からなり、付着されたトナーを紙などの記録部材に転写する構成のものでもよい。
【００６５】
【発明の効果】
請求項１、２、３、４又は５の発明によれば、画像形成粒子の上記対向電極上又は上記記録部材上における付着位置を主副両走査方向に調整するので、主走査方向のみ又は副走査方向のみに調整する場合よりも形成画像のエッジのジャギーを目立たなくすることができるという優れた効果がある。更には、原型画像のエッジに接触する部分の画素に形成する単位画像の大きさや付着位置を調整してもなお生じてしまう僅かな上記欠損面積を、他の画素に対応する単位画像で補うことができるので、原型画像により近い形状の画像を形成することができるという優れた効果がある。
【００６７】
特に、請求項２の発明によれば、上記偏向制御電極が画像形成粒子の飛翔経路を上記平行な方向にのみ偏向制御するので、該偏向制御電極の電気的回路を簡素化することができるという優れた効果がある。
【００６８】
また請求項３の発明によれば、各単位画像形成部に対して、各飛翔制御電極又は各偏向制御電極への飛翔電圧又は偏向電圧の印加タイミングを個々に変化させる必要がないので、これら電圧の制御方法、制御に用いる装置の電気回路、又は、該装置に用いる制御プログラム、を簡素化することができるという優れた効果がある。
【００７０】
また請求項４の発明によれば形成画像と原型画像との画像面積の差をより小さくすることができるので、原型画像により近い形状の画像を形成することができるという優れた効果がある。
【図面の簡単な説明】
【図１】直接記録方法によるトナーの飛翔状態を示した模式図。
【図２】（ａ）はＤＤＣ法によるドットＬｄ形成時のトナーの飛翔状態を示した模式図。
（ｂ）はＤＤＣ法によるドットＮｄ形成時のトナーの飛翔状態を示した模式図。
（ｃ）はＤＤＣ法によるドットＲｄ形成時のトナーの飛翔状態を示した模式図。
【図３】原型画像の拡大図。
【図４】同原型画像を３００ｄｐｉ２値画像で形成したものの拡大図。
【図５】同原型画像に従来のスムージング処理法を施したものの拡大図。
【図６】従来の直接記録画像形成装置の概略構成を示す斜視図。
【図７】同直接記録画像形成装置のＦＰＣを示す拡大平面図。
【図８】同直接記録画像形成装置の画像記録部の拡大模式図。
【図９】同直接記録画像形成装置におけるトナーの飛翔状態を示した模式図。
【図１０】（ａ）は従来のＤＤＣ画像形成装置におけるＦＰＣ２の孔２ｃの拡大図平面図。
（ｂ）は同孔２の拡大断面図。
【図１１】（ａ）は同ＦＰＣ２の偏向制御電極にＶｂｌａｃｋを印加した直後のトナーの位置を示す模式図。
（ｂ）は同印加から２００μｓｅｃ後のトナーの位置を示す模式図。
（ｃ）は同印加から４００μｓｅｃ後のトナーの位置を示す模式図。
（ｄ）は同印加から５２３μｓｅｃ後のトナーの位置を示す模式図。
【図１２】偏向制御電極２ｂ−１への印加電圧と、紙３上におけるトナー着地点のシフト量との関係を示す図。
【図１３】同原型画像に係る画像情報を基に本第１実施形態の画像形成装置を用いて形成した画像の拡大図。
【図１４】同画像情報を基に公知の画像形成技術を用いて形成した１２００［ｄｐｉ］２値画像の拡大図。
【図１５】（ａ）は本第２実施形態の画像形成装置のＦＰＣ２における孔２ｃの拡大図平面図。
（ｂ）は同孔２ｃの拡大断面図。
【図１６】本実施例の画像形成装置におけるＶｂｌａｃｋのパルス幅と、形成されるドットの形状との関係を示す模式図。
【図１７】同画像情報に基づいて同画像形成装置により形成された画像の拡大図。
【図１８】同画像情報に基づいて本具体例の画像形成装置により形成された画像の拡大図。
【図１９】図１７の画像に含まれるドットの輪郭と、図１８の画像において１画素以上の距離を移動されたドットとを示す拡大図。
【図２０】図１８の画像に含まれるドットの輪郭と、移動ドットの本来の付着位置とを示す拡大図。
【符号の説明】
１        現像ローラ
２        ＦＰＣ
２ａ      リング状電極
２ｂ      偏向制御電極
２ｃ      トナー通過孔
３        紙
４        対向電極部材
５        トナー
６        トナー容器
７        ドクターブレード
８        高圧電源
９        画像電源
【図１】
0003981463.tif 000003
【図２】
0003981463.tif 000004
【図３】
0003981463.tif 000005
【図４】
0003981463.tif 000006
【図５】
0003981463.tif 000007
【図６】
0003981463.tif 000008
【図７】
0003981463.tif 000009
【図８】
0003981463.tif 000010
【図９】
0003981463.tif 000011
【図１０】
0003981463.tif 000012
【図１１】
0003981463.tif 000013
【図１２】
0003981463.tif 000014
【図１３】
0003981463.tif 000015
【図１４】
0003981463.tif 000016
【図１５】
0003981463.tif 000017
【図１６】
0003981463.tif 000018
【図１７】
0003981463.tif 000019
【図１８】
0003981463.tif 000020
【図１９】
0003981463.tif 000021
【図２０】
0003981463.tif 000022